(57)【要約】【課題】ヘッドの目詰まりを発生させずに迷光及びその経路を特定できるようにする。【解決手段】インクジェットプリンタ１は、紫外線硬化性インクを記録媒体９に向けて吐出するヘッド３０と、ヘッド３０を主走査方向に移動させる主走査方向駆動機構２２と、主走査方向にヘッド３０と並んで配置され、主走査方向駆動機構２２によってヘッド３０とともに主走査方向に移動し、記録媒体９に向けて紫外線を照射する紫外線照射器４０Ｌと、主走査方向駆動機構２２によってヘッド３０とともに主走査方向に移動し、紫外線硬化性インクを硬化させる波長帯域外の波長の検査光を記録媒体に向けて照射する検査光照射器５０Ｌとを備える。【選択図】図１
2019018457.tif 000002
【特許請求の範囲】
【請求項１】
紫外線硬化性インクを記録媒体に向けて吐出するヘッドと、
前記ヘッドを主走査方向に移動させる主走査方向駆動機構と、
前記主走査方向に前記ヘッドと並んで配置され、前記主走査方向駆動機構によって前記ヘッドとともに前記主走査方向に移動し、前記記録媒体に向けて紫外線を照射する紫外線照射器と、
前記主走査方向駆動機構によって前記ヘッドとともに前記主走査方向に移動し、前記紫外線硬化性インクを硬化させる波長帯域外の波長の検査光を前記記録媒体に向けて照射する検査光照射器と、
を備えるインクジェットプリンタ。
【請求項２】
前記紫外線照射器を消灯させ且つ前記検査光照射器を点灯させた状態で、前記主走査方向駆動機構を作動させる制御部
を更に備える請求項１に記載のインクジェットプリンタ。
【請求項３】
前記検査光照射器は、前記紫外線照射器に隣接した状態で前記主走査方向駆動機構によって前記ヘッドとともに前記主走査方向に移動する
請求項１又は２に記載のインクジェットプリンタ。
【請求項４】
前記ヘッドに隣接した状態で前記主走査方向駆動機構によって前記ヘッドとともに前記主走査方向に移動し、前記検査光を受光する受光部
を更に備える請求項１から３の何れか一項に記載のインクジェットプリンタ。
【請求項５】
前記検査光照射器が、前記主走査方向に前記紫外線照射器と並んで配置され、
前記受光部が、前記主走査方向に前記ヘッドと並んで配置されて、
前記紫外線照射器から前記検査光照射器に向かう向きと前記ヘッドから前記受光部に向かう向きが同一の向きである
請求項４に記載のインクジェットプリンタ。
【請求項６】
前記検査光照射器と前記紫外線照射器との間隔が、前記受光部と前記ヘッドとの間隔に等しい
請求項５に記載のインクジェットプリンタ。
【請求項７】
複数の前記ヘッドが前記主走査方向に配列された状態で前記主走査方向駆動機構によって主走査方向に移動し、前記受光部が隣り合う前記ヘッドの間に配置された状態で前記主走査方向駆動機構によって主走査方向に移動する
請求項４から６の何れか一項に記載のインクジェットプリンタ。
【請求項８】
前記検査光照射器と前記受光部との間隔が、複数の前記ヘッドのうち前記紫外線照射器に最も近い前記ヘッドと前記紫外線照射器との間隔を超え、複数の前記ヘッドのうち前記紫外線照射器から最も遠い前記ヘッドと前記紫外線照射器との間隔を未満である
請求項７に記載のインクジェットプリンタ。
【請求項９】
前記記録媒体の位置を決めて前記ヘッドに対向し、前記紫外線及び前記検査光を透過する治具
を更に備える請求項１から８の何れか一項に記載のインクジェットプリンタ。
【発明の詳細な説明】
【技術分野】
【０００１】
本発明は、インクジェットプリンタに関する。
【背景技術】
【０００２】
特許文献１には、シリアルヘッド方式のインクジェットプリンタが開示されている。このインクジェットプリンタは、記録媒体が載置されたテーブルと、テーブルの上方において左右方向に延在したガイドレールと、そのガイドレールに取り付けられてそのガイドレールに沿って左右方向に移動可能なヘッドと、ヘッドの左右両側に隣接して設けられた紫外線照射器と、ヘッド及び紫外線照射器を左右方向に駆動する左右駆動機構と、ガイドレールを前後方向に駆動する前後駆動機構と、を備える。ガイドレールが前後駆動機構によって間欠的に駆動され、ガイドレールの各回の停止中に、紫外線照射器が点灯した状態でヘッド及び紫外線照射器が左右駆動機構によって左右方向に駆動される。ヘッドが左右方向に移動する際に、インクがヘッドのノズルから記録媒体へ吐出され、紫外線照射器から記録媒体に向けて下方へ出射した紫外線が記録媒体上のインクを照射する。そうすると、インクが紫外線により硬化して、記録媒体に定着する。
【先行技術文献】
【特許文献】
【０００３】
【特許文献１】特開２０１５−３７８７０号公報
【発明の概要】
【発明が解決しようとする課題】
【０００４】
ところで、記録媒体の周辺に配置された部材、例えば記録媒体の支持台或いは記録媒体を固定するための載置治具（以下、治具と適宜称する）等の表面によって紫外線が反射される（表面反射）。また、治具が厚みを持っており、かつ治具の部材が光透過性材料であると、表面反射だけでなく、治具の表面を通過して治具の内部に入射した紫外線（光線）が光透過性部材の治具の内部（厚みの部分）を通過する「導光」が生じる。治具の内部に生じた導光は、治具の内部で様々な方向に反射または拡散し、その結果導光された光線が入射箇所とは別の様々な箇所から様々な角度で出射する光学的現象が治具の内部で生じる。このような光学的現象を、導光に起因した「迷光」と称する。
【０００５】
ヘッドは、記憶媒体および治具と対向する側の面であるヘッドの下面に、インクを吐出するための複数のノズルを備えている。記録媒体に向かって紫外線照射器から照射された紫外線が、光透過性の材料でできた治具の内部に導光した結果生じた迷光の一部が、治具からヘッド下面に向かって入射すると、ヘッド下面に形成されたノズルの開口部付近、特にノズルの開口部からノズル内部の奥にかけての領域内でインクが硬化してしまい、ノズルの目詰まりが発生する。そのような迷光の発生を防止するために、迷光の発生原因やその迷光の経路を特定する必要がある。しかしながら、迷光の発生原因や経路を特定することは困難である。
【０００６】
そこで、本発明は上記事情に鑑みてなされたものであり、本発明が解決しようとする課題は、ヘッドのノズルの目詰まりを発生させずに迷光及びその経路を特定できるようにすることである。
【課題を解決するための手段】
【０００７】
上記課題を解決するための主たる発明は、紫外線硬化性インクを記録媒体に向けて吐出するヘッドと、前記ヘッドを主走査方向に移動させる主走査方向駆動機構と、前記主走査方向に前記ヘッドと並んで配置され、前記主走査方向駆動機構によって前記ヘッドとともに前記主走査方向に移動し、前記記録媒体に向けて紫外線を照射する紫外線照射器と、前記主走査方向駆動機構によって前記ヘッドとともに前記主走査方向に移動し、前記紫外線硬化性インクを硬化させる波長帯域外の波長の検査光を前記記録媒体に向けて照射する検査光照射器と、を備えるインクジェットプリンタである。
本発明の他の特徴については、後述する明細書及び図面の記載により明らかにする。
【発明の効果】
【０００８】
本発明によれば、紫外線照射器から出射した紫外線によって生じる迷光の代わりに、検査光照射器から出射した検査光によって生じる迷光が目視にて視認可能となり、その伝達経路を特定することができる。
検査光照射器から出射した検査光の波長が紫外線硬化性インクを硬化させる波長帯域外であるので、検査光照射器から出射した検査光によって生じる迷光がヘッドのノズルやその周辺に入射しても、紫外線硬化性インクが硬化しない。よって、ノズルの目詰まりを発生させることなく迷光の伝達経路を特定し、その迷光の伝達経路を遮断するように、治具上に黒テープを張るなどの対策を印刷実行前に行うことができる。
【図面の簡単な説明】
【０００９】
【図１】図１は、インクジェットプリンタの内部の正面図である。
【図２】図２は、インクジェットプリンタのキャリッジ、紫外線照射器及び可視光照射器の底面図である。
【図３】図３は、インクジェットプリンタのブロック図である。
【発明を実施するための形態】
【００１０】
以下、図面を参照して、本発明の実施形態について説明する。但し、以下に述べる実施形態には、本発明を実施するために技術的に好ましい種々の限定が付されているが、本発明の範囲を以下の実施形態及び図示例に限定するものではない。
【００１１】
〔１．インクジェットプリンタの構成〕
図１は、フラットベッド式且つシリアルヘッド式のインクジェットプリンタ１の筐体内部の正面図である。図２は、インクジェットプリンタ１のキャリッジ２３、紫外線照射器４０Ｌ，４０Ｒ及び可視光照射器５０Ｌ，５０Ｒの底面図である。図３は、インクジェットプリンタ１のブロック図である。以下の説明では、インクジェットプリンタ１によって印刷される記録媒体９の移動方向を副走査方向といい、副走査方向に対して垂直な方向を主走査方向といい、主走査方向及び副走査方向に対して垂直な方向を上下方向という。上下方向は鉛直方向のことであるが、必ずしも鉛直方向とは限らない。主走査方向を左右方向ということもある。
【００１２】
図１〜図３に示すように、インクジェットプリンタ１は、ガイドレール１１と、副走査方向駆動機構１２と、支持台１３と、ガイドレール２１と、主走査方向駆動機構２２と、キャリッジ２３と、複数のヘッド３０と、複数の受光部３５と、紫外線照射器４０Ｌ，４０Ｒと、可視光照射器（検査光照射器）５０Ｌ，５０Ｒと、制御部６０とを備える。
【００１３】
図１に示すように、ガイドレール１１は、副走査方向に延在するとともに、筐体に取り付けられている。ガイドレール１１には支持台１３が取り付けられており、ガイドレール１１によって支持台１３が副走査方向に案内される。支持台１３には副走査方向駆動機構１２が連結されている。副走査方向駆動機構１２は、モーター、エンコーダー及び伝動機構等を有するとともに、支持台１３を副走査方向に移動させる。
【００１４】
支持台１３の上面は、主走査方向及び副走査方向に広がった平面状に形成されている。支持台１３上にはベースプレート１６が載置されている。ベースプレート１６上には治具１４が積み重ねられている。治具１４は、開口１５が形成された板状部材である。開口１５は、ベースプレート１６と治具１４の積み重ね体の上面に形成された凹部となる。治具１４及びベースプレート１６が支持台１３上に取り付けられ、記録媒体９が開口１５に嵌め込まれることによって治具１４より囲繞され、これにより記録媒体９の位置が決まる。治具１４及びベースプレート１６が支持台１３に対して着脱可能である。
【００１５】
治具１４及びベースプレート１６は、紫外線及び可視光を透過する性質を有する。治具１４及びベースプレート１６は、分離可能に重ねられていてもよい。または、治具１４及びベースプレート１６は一体化していてもよい。
記録媒体９は例えばケース、板材である。記録媒体９は紫外線及び可視光を透過せずに遮光する性質を有する。但し、記録媒体９は、紫外線及び可視光を透過する性質を有していてもよい。
なお、治具１４及びベースプレート１６が透光性を有し、かつ厚みを有するので、治具１４或いはベースプレート１６に入射した光が治具１４或いはベースプレート１６内部で迷光が発生しやすい。
【００１６】
支持台１３の上方にはガイドレール２１が設けられている。ガイドレール２１は、主走査方向に延在するとともに、筐体に取り付けられている。ガイドレール２１にはキャリッジ２３が取り付けられ、ガイドレール２１によってキャリッジ２３が主走査方向に案内される。キャリッジ２３には主走査方向駆動機構２２が連結されている。主走査方向駆動機構２２は、モーター、エンコーダー及び伝動機構等を有するとともに、キャリッジ２３を主走査方向に移動させる。
【００１７】
キャリッジ２３には、支持台１３、ベースプレート１６、治具１４及び記録媒体９に対して上下に対向する複数のヘッド３０が搭載されている。これらヘッド３０は、主走査方向に間隔を置いて配列されている。ヘッド３０の下面には複数のノズルが形成されており、ヘッド３０がノズルから下方の記録媒体９に向けてインクを吐出し、これにより記録媒体９に画像が形成される。ヘッド３０によって吐出されるインクは、紫外線硬化性樹脂からなる。
【００１８】
キャリッジ２３には、下方からの可視光（検査光）を受光する複数の受光部３５が搭載されている。受光部３５は、下方から受光した可視光を検出する可視光センサである。なお、受光部３５が光ファイバ又は導光板等のライトガイドの入射部であり、受光部３５に入射した可視光が、受光部３５とは別の位置に設けられた可視光センサまでライトガイドによって導光されてもよい。この場合、ライトガイドが複数の受光部３５から１つの可視光センサにかけて設けられてもよい。
【００１９】
これら受光部３５は、これらの間に間隔を置いて、主走査方向に配列されている。隣り合う受光部３５の間にはヘッド３０が配置されており、受光部３５とヘッド３０が主走査方向に交互に配列されている。これにより、ヘッド３０の左右両側には、受光部３５が隣接して配置されている。
【００２０】
キャリッジ２３の左右両側には可視光照射器５０Ｌ，５０Ｒ及び紫外線照射器４０Ｌ，４０Ｒが取り付けられている。左の可視光照射器５０Ｌがキャリッジ２３の左側に隣接して配置され、左の紫外線照射器４０Ｌは左の可視光照射器５０Ｌの左側に隣接して配置されている。右の可視光照射器５０Ｒがキャリッジ２３の右側に隣接して配置され、右の紫外線照射器４０Ｒは右の可視光照射器５０Ｒの右側に隣接して配置されている。以上のように可視光照射器５０Ｌ，５０Ｒ及び紫外線照射器４０Ｌ，４０Ｒが主走査方向に配列されてキャリッジ２３に取り付けられているので、紫外線照射器４０Ｌ，４０Ｒ及び可視光照射器５０Ｌ、５０Ｒが主走査方向にヘッド３０と並んで配置されている。また、紫外線照射器４０Ｌ，４０Ｒ及び可視光照射器５０Ｌ，５０Ｒが主走査方向に受光部３５と並んで配置されている。
【００２１】
紫外線照射器４０Ｌ，４０Ｒは、紫外線を下方に向けて照射する。紫外線照射器４０Ｌ，４０Ｒから出射する紫外線の波長帯域は、ヘッド３０によって吐出されるインクを硬化させる波長帯域を少なくとも含む。
【００２２】
図２に示すように、左の紫外線照射器４０Ｌは、主走査方向及び副走査方向に格子状に配列された複数の紫外線ＬＥＤ（発光ダイオード）４１Ｌを有する。右の紫外線照射器４０Ｒも格子状配列の紫外線ＬＥＤ４１Ｒを有する。
【００２３】
可視光照射器５０Ｌ，５０Ｒは、可視光を下方に向けて照射する。可視光照射器５０Ｌ，５０Ｒから出射する可視光の波長は、ヘッド３０によって吐出されるインクを硬化させる波長帯域から外れている。
【００２４】
左の可視光照射器５０Ｌは、副走査方向に直線状に配列された複数の可視光ＬＥＤ５１Ｌを有する。右の可視光照射器５０Ｒも直線状配列の可視光ＬＥＤ５１Ｒを有する。
【００２５】
紫外線照射器４０Ｌとその右側にある可視光照射器５０Ｌとの間隔Ｗ１は、ヘッド３０とその右隣りの受光部３５との間隔Ｗ２に等しい。つまり、紫外線照射器４０Ｌから可視光照射器５０Ｌに向かうベクトルと、ヘッド３０からその右隣りの受光部３５に向かうベクトルとは、大きさ及び向きが互いに等しい。
ここで、紫外線照射器４０Ｌと可視光照射器５０Ｌとの間隔Ｗ１とは、可視光照射器５０Ｌに最も近い紫外線ＬＥＤ４１Ｌの列を通って副走査方向に平行な中心線と、可視光照射器５０Ｌの可視光ＬＥＤ５１Ｌの列を通って副走査方向に平行な中心線との間隔をいう。ヘッド３０とその右隣りの受光部３５との間隔Ｗ２とは、ヘッド３０を通って副走査方向に平行な中心線と、受光部３５を通って副走査方向に平行な中心線との間隔をいう。
【００２６】
紫外線照射器４０Ｒとそれの左側にある可視光照射器５０Ｒとの間隔Ｗ３は、ヘッド３０とその左隣りの受光部３５との間隔Ｗ４に等しい。つまり、紫外線照射器４０Ｒから可視光照射器５０Ｒに向かうベクトルと、ヘッド３０からその左隣りの受光部３５に向かうベクトルとは、大きさ及び向きが互いに等しい。
ここで、紫外線照射器４０Ｒと可視光照射器５０Ｒとの間隔Ｗ３とは、可視光照射器５０Ｒに最も近い紫外線ＬＥＤ４１Ｌの列を通って副走査方向に平行な中心線と、可視光照射器５０Ｒの可視光ＬＥＤ５１Ｒの列を通って副走査方向に平行な中心線との間隔をいう。ヘッド３０とその左隣りの受光部３５との間隔Ｗ４とは、ヘッド３０を通って副走査方向に平行な中心線と、受光部３５を通って副走査方向に平行な中心線との間隔をいう。
【００２７】
主走査方向に配列された受光部３５の列のうち両端以外の受光部３５を受光部３５Ａと表記する（図２参照）。可視光照射器５０Ｌと受光部３５Ａとの間隔Ｗ５は、紫外線照射器４０Ｌに最も近いヘッド３０と紫外線照射器４０Ｌとの間隔Ｗ６を超え、紫外線照射器４０Ｌから最も遠いヘッド３０と紫外線照射器４０Ｌとの間隔Ｗ７を未満である。可視光照射器５０Ｒと受光部３５Ａとの間隔Ｗ８は、紫外線照射器４０Ｒに最も近いヘッド３０と紫外線照射器４０Ｒとの間隔Ｗ９を超え、紫外線照射器４０Ｒから最も遠いヘッド３０と紫外線照射器４０Ｒとの間隔Ｗ１０を未満である。
【００２８】
図３に示すように、インクジェットプリンタ１には制御部６０及びドライバ６１Ｌ，６２Ｌ，６１Ｒ，６２Ｒが設けられている。制御部６０はＣＰＵ、ＲＡＭ及びＲＯＭ等を有するマイクロコンピュータである。制御部６０は副走査方向駆動機構１２を制御することによって、支持台１３の位置を認識しながら支持台１３を副走査方向に移動させる。また、制御部６０は主走査方向駆動機構２２を制御することによって、キャリッジ２３の位置を認識しながらキャリッジ２３を主走査方向に移動させる。また、制御部６０がヘッド３０を制御することによって、ヘッド３０が吐出動作をする。
【００２９】
また、制御部６０はドライバ６１を制御することによって、ドライバ６１が紫外線ＬＥＤ４１Ｌを駆動する。紫外線ＬＥＤ４１Ｒ、可視光ＬＥＤ５１Ｌ、可視光ＬＥＤ５１Ｒもドライバ６２〜６４によって駆動される。
【００３０】
〔２.インクジェットプリンタの迷光特定動作〕
インクジェットプリンタ１の迷光特定動作について説明する。迷光特定とは、導光によって紫外線照射器４０Ｌ，４０Ｒからヘッド３０の下面にまで伝播する不要な紫外線の迷光の代わりに、導光によって可視光照射器５０Ｌ，５０Ｒから受光部３５にまで伝播する可視光の迷光及びその経路を特定することをいう。
【００３１】
まず、制御部６０が支持台１３の位置を認識しながら副走査方向駆動機構１２を制御することによって、支持台１３が副走査方向に移動して停止する。
【００３２】
次に、制御部６０がキャリッジ２３の位置を認識しながら主走査方向駆動機構２２を作動させることによって、キャリッジ２３が右方向へ移動する。キャリッジ２３の移動中、可視光照射器５０Ｌが制御部６０によって点灯され、可視光照射器５０Ｒ及び紫外線照射器４０Ｌ，４０Ｒが制御部６０によって消灯される。この際、可視光照射器５０Ｌから出射した可視光が治具１４又はベースプレート１６によって導光されることによって、治具１４又はベースプレート１６の内部に迷光が生じることがある。その迷光が受光部３５の下方から受光部３５に入射すると、受光部３５の出力が変化するので、その時のキャリッジ２３の位置及び支持台１３の位置を制御部６０が認識して記憶する。これにより、受光部３５の下方から受光部３５に入射する可視光の迷光の発生を特定することができるとともに、そのような迷光が発生するようなキャリッジ２３及び支持台１３の位置を特定することができる。可視光の迷光が発生したときの可視光照射器５０Ｌの位置と同じ位置において紫外線照射器４０Ｌが仮に点灯した場合、紫外線の迷光が発生して、その迷光がヘッド３０の下方からヘッド３０の下面に入射する。これは、紫外線照射器４０Ｌと可視光照射器５０Ｌとの間隔Ｗ１がヘッド３０とその右隣りの受光部３５との間隔Ｗ２に等しいためである。
【００３３】
次に、制御部６０が支持台１３の位置を認識しながら副走査方向駆動機構１２を制御することによって、支持台１３が副走査方向に移動して停止する。
【００３４】
次に、制御部６０がキャリッジ２３の位置を認識しながら主走査方向駆動機構２２を制御することによって、キャリッジ２３が左方向へ移動する。キャリッジ２３の移動中、可視光照射器５０Ｒが制御部６０によって点灯され、可視光照射器５０Ｌが制御部６０によって消灯される。この際、可視光照射器５０Ｒから出射した可視光が治具１４及びベースプレート１６によって導光されることによって、受光部３５の下方から受光部３５に入射する迷光が発生することがある、受光部３５に入射する迷光が発生すると、受光部３５の出力が変化するので、その時のキャリッジ２３の位置及び支持台１３の位置を制御部６０が認識して記憶する。これにより、受光部３５の下方から受光部３５に入射する迷光の発生を特定することができるとともに、そのような迷光が発生するようなキャリッジ２３及び支持台１３の位置を特定することができる。
【００３５】
以後、インクジェットプリンタ１は以上の動作を繰り返し実行する。
なお、可視光の迷光がヘッド３０の下方からヘッド３０の下面に入射しても、ヘッド３０のノズル内のインクは硬化しない。これは、可視光の波長がインクを硬化させる波長帯域から外れているためである。
【００３６】
〔３.インクジェットプリンタの指示動作〕
インクジェットプリンタ１は上述の迷光特定動作の後に迷光発生位置を指示する動作を実行するので、その動作について説明する。
【００３７】
制御部６０が可視光照射器５０Ｌ，５０Ｒの一方又は両方を点灯させる。そして、制御部６０がキャリッジ２３の位置を認識しながら主走査方向駆動機構２２を制御することによって、上述のように記憶した位置までキャリッジ２３を移動させて停止する。更に、制御部６０が支持台１３の位置を認識しながら副走査方向駆動機構１２を制御することによって、上述のように記憶した位置まで支持台２３を移動させて停止する。可視光照射器５０Ｌ，５０Ｒから受光部３５へ伝播する迷光が発生しており、ユーザーがその迷光及びその経路を視認することができる。そうすると、ユーザーは迷光に対する対策を実施することができる。例えば、治具１４又はベースプレート１６の表面をマスキングして、迷光の経路を遮断することができる。
【００３８】
〔４．インクジェットプリンタの印刷動作〕
続いて、インクジェットプリンタ１の印刷動作について説明する。
インクジェットプリンタ１の印刷動作は、支持台１３の所定距離の移動と、キャリッジ２３の移動及びヘッド３０のインク吐出とを交互に繰り返すことにより実行される。具体的には、制御部６０が副走査方向駆動機構１２を間欠的に作動させることによって、支持台１３及び記録媒体９が間欠的に副走査方向に所定距離移動する。支持台１３及び記録媒体９の各回の一時停止中に、制御部６０が主走査方向駆動機構２２を作動させることによってキャリッジ２３が主走査方向駆動機構２２により主走査方向に移動するとともに、キャリッジ２３の移動中に制御部６０がヘッド３０を制御することによってヘッド３０がインクを吐出する。
【００３９】
印刷動作中、紫外線照射器４０Ｌ，４０Ｒが制御部６０によって点灯・消灯される。具体的には、ヘッド３０が右方向へ移動する際には、紫外線照射器４０Ｌが制御部６０によって点灯され、紫外線照射器４０Ｒが制御部６０によって消灯される。一方、ヘッド３０が左方向へ移動する際には、紫外線照射器４０Ｒが制御部６０によって点灯され、紫外線照射器４０Ｌが制御部６０によって消灯される。なお、印刷動作中、可視光照射器５０Ｌ，５０Ｒは制御部６０によって消灯される。
【００４０】
以上のように、可視光の迷光が発生していた場合、その対策を行ったので、印刷動作中は、ヘッド３０に入射するような迷光が発生しない。それゆえ、ヘッド３０の目詰まりを防止することができる。
【００４１】
〔５．効果〕
以上に説明した本発明の実施の形態によれば、以下の効果が得られる。
【００４２】
（１）  ヘッド３０と紫外線照射器４０Ｌ，４０Ｒと可視光照射器５０Ｌ，５０Ｒが一体となって主走査方向駆動機構２２によって移動する。それゆえ、可視光照射器５０Ｌ，５０Ｒを点灯させることによって、可視光照射器５０Ｌ，５０Ｒから出射した可視光の迷光を発生させることができる。それゆえ、可視光照射器５０Ｌ，５０Ｒから出射した可視光の迷光を、紫外線照射器４０Ｌ，４０Ｒからヘッド３０の下面に到達する紫外線の迷光とみなすことができる。その可視光の迷光及びその経路を特定することによって、紫外線の迷光及びその経路を特定することができる。そのような迷光の対策をすることによって、前述の印刷動作時に紫外線照射器４０Ｌ，４０Ｒからヘッド３０の下面に到達する紫外線の迷光を防止することができる。よって、ヘッド３０のノズルの目詰まりを防止できる。
また、可視光照射器５０Ｌ，５０Ｒから出射した可視光の波長が紫外線硬化性インクを硬化させる波長帯域外であるので、前述した迷光特性動作及び指示動作の際に、可視光照射器５０Ｌ，５０Ｒから出射した可視光の迷光がヘッド３０の下方からヘッド３０の下面に入射しても、ヘッド３０のノズルの目詰まりは発生しない。
【００４３】
（２）  前述した迷光特性動作及び指示動作の際に、可視光照射器５０Ｌ，５０Ｒが制御部６０によって点灯されるが、紫外線照射器４０Ｌ，４０Ｒは制御部６０によって消灯される。それゆえ、可視光照射器５０Ｌ，５０Ｒから出射した可視光の迷光及びその経路を特定しつつ、紫外線によるヘッド３０のノズルの目詰まりを抑制できる。
【００４４】
（３）  可視光照射器５０Ｌと紫外線照射器４０Ｌが互いに隣接して配置されている。そのため、可視光照射器５０Ｌから出射した可視光の迷光がヘッド３０の下面又はその周辺に到達すれば、その可視光の迷光及びその経路は、紫外線照射器４０Ｌからヘッド３０の下面に到達する紫外線の迷光及びその経路と想定することができる。同様に、可視光照射器５０Ｒからヘッド３０の下面又はその周辺に到達する可視光の迷光及びその経路も、紫外線照射器４０Ｒからヘッド３０の下面に到達する紫外線の迷光及びその経路と想定することができる。よって、そのような可視光の迷光及びその経路を特定することによって、紫外線の迷光及びその経路を特定することができる。
【００４５】
（４）  可視光照射器５０Ｌが紫外線照射器４０Ｌの右側に隣接して配置されており、ヘッド３０の右側には受光部３５が隣接して配置されている。それゆえ、可視光照射器５０Ｌから受光部３５に到達する可視光の迷光を、紫外線照射器４０Ｌからヘッド３０の下面に到達する紫外線の迷光と想定することができる。更に、可視光照射器５０Ｌから受光部３５に到達する可視光の迷光を検出することで、その可視光の迷光を特定することができる。同様に、可視光照射器５０Ｒからヘッド３０の左側の受光部３５に到達する可視光の迷光を検出することで、その可視光の迷光を特定して、それを紫外線の迷光と想定することができる。
【００４６】
（５）  紫外線照射器４０Ｌから可視光照射器５０Ｌに向かうベクトルと、ヘッド３０からその右隣りの受光部３５に向かうベクトルとは、大きさ及び向きが互いに等しい。それゆえ、可視光照射器５０Ｌから受光部３５に到達する可視光の迷光を、紫外線照射器４０Ｌからヘッド３０の下面に到達する紫外線の迷光と想定することの正確性が高まる。同様に、可視光照射器５０Ｒからヘッド３０の左側の受光部３５に到達する可視光の迷光を紫外線照射器４０Ｒの紫外線の迷光と正確に想定することができる。
【００４７】
（６）  主走査方向に配列された受光部３５の列のうち両端以外の受光部３５Ａは、隣り合うヘッド３０の間に配置されている。そのため、ヘッド３０の間のスペースを受光部３５Ａの設置箇所に有効利用することができる。
【００４８】
（７）  受光部３５Ａは、可視光照射器５０Ｌからの距離が、紫外線照射器４０Ｌに最も近いヘッド３０と紫外線照射器４０Ｌとの間隔Ｗ６を超え、紫外線照射器４０Ｌから最も遠いヘッド３０と紫外線照射器４０Ｌとの間隔Ｗ７未満の位置に配置されている。それゆえ、受光部３５Ａに入射する可視光の迷光は、紫外線照射器４０Ｌから何れかのヘッド３０の紫外線の迷光と想定することができる。
【００４９】
（８）  治具１４及びベースプレート１６が紫外線に対して透過性を有するので、紫外線照射器４０Ｌ，４０Ｒから出射した紫外線が治具１４又はベースプレート１６によって導光されるので、紫外線の迷光は予測し難い方向からヘッド３０の下面に入射する。そのような場合でも、治具１４及びベースプレート１６が可視光に対して透過性を有するので、可視光の迷光は紫外線の迷光と同じ軌跡で治具１４又はベースプレート１６を通る。よって、可視光照射器５０Ｌから受光部３５に到達する可視光の迷光を、紫外線照射器４０Ｌからヘッド３０の下面に到達する紫外線の迷光とみなすことができる。
【００５０】
＝＝＝変形例＝＝＝
以上、本発明を実施するための形態について説明したが、上記実施形態は本発明の理解を容易にするためのものであり、本発明を限定して解釈するためのものではない。また、本発明はその趣旨を逸脱することなく変更、改良され得るとともに、本発明にはその等価物も含まれる。以上の実施形態からの変更点について以下に説明する。以下に説明する変更点は、可能な限り組み合わせて適用してもよい。
【００５１】
（１）  上記実施形態では、導光に起因した迷光、つまり治具１４およびベースプレート１６の内部で発生する迷光に限定して、治具１４およびベースプレート１６からヘッド下面または受光部３５に到達する経路を可視光にて特定したが、これに限定されず、導光以外の光学的現象に起因した迷光であってもよい。例えば、可視光照射器５０Ｌ，５０Ｒから出射した可視光により治具１４およびベースプレート１６の表面または側面で生じる反射光も、受光部３５に到達する経路も治具１４およびベースプレート１６の内部で発生する迷光と同様に可視光にて特定して、ユーザーがその経路を視認してもよい。
【００５２】
（２）  上記実施形態では、迷光特定動作中に迷光が受光部３５に入射した場合、制御部６０がその時のキャリッジ２３の位置及び支持台１３の位置を認識して記憶する。それに対して、迷光特定動作中に可視光の迷光が受光部３５に入射した時に、制御部６０が主走査方向駆動機構２２を制御してキャリッジ２３を停止させてもよい。キャリッジ２３が停止すれば、受光部３５に入射する迷光が発生した状態となっており、ユーザーがその迷光及びその経路を視認することができる。
【００５３】
（３）  上記実施形態では、受光部３５が可視光センサであった。それに対して、受光部３５がライトガイドの入射部であり、受光部３５に入射した可視光が、受光部３５とは別の位置に設けられた可視光センサまでライトガイドによって導光されてもよい。この場合、ライトガイドが複数の受光部３５から１つの可視光センサにかけて設けられてもよい。
【００５４】
（４）  上記実施形態では、可視光を照射する可視光照射器５０Ｌ，５０Ｒを用いたが、これを可視光以外の光（但し、インクを硬化させる波長帯域から外れた光）を照射する照射器に変更してもよい。この場合、光センサとしての受光部３５は、その照射器から出射する光に対して感度を示す。
例えば、可視光照射器５０Ｌ，５０Ｒを赤外線照射器に変更し、受光部３５を赤外線センサに変更してもよい。
【００５５】
（５）  上記実施形態では、キャリッジ２３に受光部３５が設けられていたが、受光部３５が設けられていなくてもよい。この場合、支持台１３の所定距離の移動と、可視光照射器５０Ｌ，５０Ｒが点灯した状態でのキャリッジ２３の低速移動とが交互に繰り返される。このようにインクジェットプリンタ１が動作している時に、ユーザーがキャリッジ２３及びその周辺を観察することによって、可視光の迷光及びその経路を視認することができる。
【００５６】
（６）  上記実施形態では、支持台１３がガイドレール１１によって副走査方向に案内され、副走査方向駆動機構１２の動力によって支持台１３が副走査方向に移動する。それに対して、支持台１３が移動せずに固定されていてもよい。この場合、ガイドレール２１が、副走査方向に延在したガイドによって副走査方向に案内される。そして、副走査方向駆動機構の動力によってガイドレール２１がキャリッジ２３とともに副走査方向に移動する。
【符号の説明】
【００５７】
１…インクジェットプリンタ，  ９…記録媒体，  １３…支持台，  １４…治具，  ２２…主走査方向駆動機構，  ３０…ヘッド，  ４０Ｒ…紫外線照射器，  ４０Ｌ…紫外線照射器，  ５０Ｌ…可視光照射器（検査光照射器），  ５０Ｌ…可視光照射器（検査光照射器），  ６０…制御部
【図１】
2019018457.tif 000003
【図２】
2019018457.tif 000004
【図３】
2019018457.tif 000005